(57)【特許請求の範囲】
【請求項１】
複数の指向性アンテナを備えたアレイアンテナを有する少なくとも１つの基地局と、複数の移動局とを含むセルラー通信システムにおいて情報を放送する方法であって、
前記指向性アンテナと等しい数の複数の並列な経路に対して放送するために前記情報を分割するステップと、
複数の直交信号をつくり出すために前記基地局により周波数変移を利用して前記複数の並列な経路に対して前処理するステップと、
前記基地局により、前記複数の指向性アンテナの各々で狭角度のビームを形成するために前記複数の直交信号をビーム形成するステップと、
前記基地局により、異なる複数の狭角度のビームで送られる複数の信号が所定の移動局に対して異なる時点で到着するように、複数の前記狭角度のビームが含む前記複数の直交信号を送信するステップと、
前記所定の移動局により、前記複数の直交信号が受信されるステップと、
符号間干渉に対して受信した前記複数の直交信号を訂正するために等化器を使用することと同じようにして前記所定の移動局で等化器を使用して、到着した前記情報を解読するため、前記所定の移動局の等化器によって、前記受信した複数の直交信号を処理するステップと、
を含むことを特徴とする、情報放送方法。
【請求項２】
複数の移動局に対して情報を配信するセルラー通信システムであって、
少なくとも１の基地局と、
少なくとも１の移動局と、
を含み、
前記基地局は、
複数の指向性アンテナを有するアレイアンテナと、
前記指向性アンテナと等しい数の複数の並列な経路に対して放送するために前記情報を分割する手段と、
複数の直交信号を発生させるために、周波数変移を利用して前記複数の並列な経路に対して前処理する手段と、
前記複数の指向性アンテナの各々から狭角度のビームを形成するために、前記複数の直交信号をビーム形成するビーム形成手段と、
異なる複数の狭角度のビームで送られる複数の信号が所定の移動局に対して異なる時点で到着するようにして、前記複数の狭角度のビームにより前記複数の直交信号が送られるように、前記アレイアンテナを利用して前記直交信号を送信する送信手段と、
を含み、
前記所定の移動局は、
前記複数の直交信号を受信する受信手段と、
符号間干渉に対して受信した前記複数の直交信号を訂正するために等化器を使用することと同じようにして前記所定の移動局で等化器を使用して、到着した前記情報を解読するため、前記所定の移動局の等化器によって、前記受信した複数の直交信号を処理する処理手段と、
を含むことを特徴とする、セルラー通信システム。
【請求項３】
複数の移動局に信号を送信し、かつ前記複数の移動局から信号を受信するセルラー通信システムで使用するための基地局であって、
情報を処理する複数のトランシーバーと、
複数の信号を受信する受信アンテナ装置と、
疑似全方位アンテナパターンで信号を送信する複数の能動セクタアンテナにより構成され、各セクタアンテナがセクタの中心部で、そのセクタの端部よりも大きなアンテナ利得を供給する送信アンテナ装置と、
前記複数のトランシーバーと前記受信および送信アンテナ装置とを結合する結合手段と、
前記受信アンテナ装置から受信した複数の信号をダイバーシティ結合する手段と、
アンテナパターンにナルが発生することを防止するため、前記移動局に送信する複数の信号を直交化する周波数変移手段と、
を含み、
前記複数のトランシーバーは、異なるセクタアンテナパターンで送られる複数の信号が所定の移動局で異なる時間に到達するように、前記セクタアンテナパターンで前記複数の信号を送信することを特徴とする、基地局。
【請求項４】
請求項３記載の基地局において、前記周波数変移手段は、わずかに異なる搬送周波数で並列信号を変調することにより、前記移動局に送信される前記信号を直交化することを特徴とする、基地局。
【請求項５】
請求項３記載の基地局において、前記受信アンテナ装置は、
支柱の周囲に取り付けられた４つの２重偏波セクタアンテナから構成されることを特徴とする、基地局。
【請求項６】
請求項５記載の基地局において、前記２重偏波アンテナ装置は、支柱の周囲で等しい間隔がとられていることを特徴とする、基地局。
【請求項７】
請求項３記載の基地局において、前記送信アンテナ装置は、４つの能動セクタアンテナを含むことを特徴とする、基地局。
【発明の詳細な説明】
【技術分野】
【０００１】
本発明は、セルラー通信システムにおける情報の伝送に関し、より詳細には、広範囲のサービスエリアに共通の情報を放送するための広角度アンテナローブを指向性アンテナからつくるための情報放送方法、セルラー通信システム、及び基地局に関する。
【背景技術】
【０００２】
図１は、普通のセルラー移動体無線通信システムにおける１０個のセル、Ｃ１〜Ｃ１０を示す。通常、セルラー移動体無線通信システムは１０個以上のセルを使用して実現される。しかし、説明を簡単にするため、図１に示す単純化された表現を使用して説明を展開してもよいであろう。
【０００３】
各セル、Ｃ１〜Ｃ１０に対して、対応するセルと同じ参照番号をもつ基地局Ｂ１〜Ｂ１０がある。図１は、基地局がセルの中心付近にありかつ無指向性アンテナを備えているものとして示している。また、図１は、移動局、Ｍ１〜Ｍ９を示しており、これらの移動局はセル内を移動できるとともに１つのセルから別のセルへと移動することができる。普通のセルラー移動体無線通信システムにおいては、９台以上のセルラー移動局があるのが普通であろう。実際、存在する基地局に比べて何倍もの多数の移動局があるのが普通であろう。しかし、ここで展開する技術説明のためには、少数の移動局でも十分である。
【０００４】
また、図１には、移動体通信交換センタＭＳＣが示されている。図１に示す移動体通信交換センタＭＳＣは、１０ケ所の基地局Ｂ１〜Ｂ１０のすべてにケーブルで接続されている。また、移動体通信交換センタＭＳＣは、固定電話交換網、または同様な固定網にケーブルで接続されている。移動体通信交換センタＭＳＣから基地局Ｂ１〜Ｂ１０までのすべてのケーブルと、固定網へのケーブルとが示されている。
【０００５】
図示されている移動体通信交換センタＭＳＣだけでなく、図１に示す基地局とは別の基地局にケーブルで接続されている移動体通信交換センタを追加してもよい。移動体通信交換センタＭＳＣに基地局を接続するため、ケーブルのかわりに、たとえば固定無線リンクなど、他の手段を使用してもよい。移動体通信交換センタＭＳＣ、基地局および移動局は、すべてコンピュータで制御される。
【０００６】
近年のディジタルセルラーシステムは、時間と周波数との直交性を使用して移動局を区別する基地局を使用している。移動局からの信号が基地局に伝搬すると、これらの信号は、基地局の１つのアンテナ素子であり、ときには、ダイバーシティ効果を高めるため、複数のアンテナ素子で受信される。受信器の信号処理動作は、他のユーザからの信号を分離するため、時間と周波数の直交性を使用する。ときには、移動局との通信に複数の指向性アンテナつまりアレイアンテナを使用することがある。
【０００７】
指向性アンテナを使用すると、干渉を減少させてサービスエリア（ｃｏｖｅｒａｇｅ）とユーザの数とを増やすことができる。アレイアンテナを使用するには、何らかの形式のビーム形成（ｂｅａｍｆｏｒｍｉｎｇ）が必要になる。ビーム形成は、ディジタルビーム形成、アナログビーム形成など各種の方法で実現できるし、あるいはバトラー行列（Ｂｕｔｌｅｒ  ｍａｔｒｉｘ）など、ビーム形成行列により実現できる。アナログビーム形成器は、周波数に依存しないタイムディレイを導入することによりビームの方向を変えるのに対し、ディジタル形成は、ある動作周波数におけるタイムディレイと等価な位相遅れを含むのが普通である。
【０００８】
いくつかのビーム形成システムが図２と図３に示されている。ディジタルビーム形成システムは、素子ごとに受信器をもっているのが普通であり、この受信器は、アナログ・ディジタル変換器に対するＩ（同相）チャネルおよびＱ（直交位相）チャネルに周波数をダウン・コンバートする。積計算用または累計計算用集積回路の中で、これらの複素数のサンプルのペアに適切な重みを乗算することにより、ビーム形成がリアルタイムで実行される。アレイの出力は、ｎ番目のチャネルからの複素信号（Ｖｎ）、重み付け係数（Ｗｎ）、操作対象移相量（ｓｔｅｅｒｉｎｇｐｈａｓｅｓｈｉｆｔ）（ｅ）および補正係数（Ｃｎ）を使用して形成される。しかし、いくつかの理由で補正が必要であろう。これらの理由には、素子の位置の誤差、温度の影響、および、アレイに組み込まれた素子とアレイの端部に近い素子の挙動の違いが含まれている。
【０００９】
したがって、狭角度のアンテナビームを形成して、ある方向に向けることにより、同じアレイアンテナを使用して同時により広い部分をカバーするために、複数の狭角度ビームを使用してもよい。そこで、アンテナの最も実行可能な機能を選択する適応型アルゴリズムを使用することができる。
【発明の開示】
【発明が解決しようとする課題】
【００１０】
しかし、指向性アンテナを使用すると複雑になる。たとえば、基地局は、セルの適当な位置にいる移動局に放送情報を送信できなければならない。しかし、セルを非常に小さくすると、通話中チャネル切り替え（ｈａｎｄｏｖｅｒ）が過剰に発生して中継線効率を悪化させるので、あまり小さなセルにすることはできない。したがって、１つのセルの中で、高度に指向性のあるアンテナと広角度アンテナローブとの両方を使用する必要がある。
【００１１】
その１つの方法は、セルの中で複数のアンテナを使用することである。しかし、関連するハードウエアをもつ個別アンテナをいくつか使用することは、建設と運用に多くの費用がかかる。当業者に対する別のわかりやすい解決方法は、図４に示すセルで使用されている狭角度アンテナローブのすべてに、共通の情報（つまり、同じ情報）を送信することであろう。この解決方法の欠点は、異なるアンテナローブからの情報を合計するとゼロになり、合成されたアンテナパターン２２において、希望しないナルまたはナルに近い部分がつくり出されることである。
【００１２】
図４に示すとおり、放送するデータは、３つの指向性ローブ２０のすべてで送信される。ある方向で信号は打ち消し合うので、合成されたアンテナパターン２２に深い切れ込みのナルが現れる。たとえば、等振幅の２つのローブは、ある方向で合計するとゼロになる。その結果、図５に示すとおり、その方向にすべての散乱点をもつ移動局は、信号電力に起きる大きな減衰（ｄｅｅｐ  ｆａｄｅ）の影響を受けるであろう。
【００１３】
図５は、移動局２４が合成されたアンテナパターン２２のナルに位置しているため、受信電力が非常に小さくなる影響を受けることを示している。同じとき、移動局２６も合成されたアンテナパターン２２の中に位置しているが、移動局２６は許容可能な電力を受信する。この場合、信号が建物２８から反射されているので、受信信号の強度は許容レベルにある。
【００１４】
したがって、容量を増加し、かつ、サービスエリアを改善するため、高度に指向性のあるアンテナのニーズがある。また、セルの全域に情報を放送できるように、低指向性のアンテナのニーズもある。
【００１５】
そこで、本発明は、上記問題に鑑みてなされたものであり、本発明の目的とするところは、アレイアンテナを備えた基地局を使用して、セル全域に共通情報信号を与える方法と装置を提供することである。
【課題を解決するための手段】
【００１６】
上記の問題を解決するために、本発明のある観点によれば、複数の指向性アンテナを備えたアレイアンテナを有する少なくとも１つの基地局と、複数の移動局とを含むセルラー通信システムにおいて情報を放送する方法が提供される。当該方法は、前記指向性アンテナと等しい数の複数の並列な経路に対して放送するために前記情報を分割するステップと、複数の直交信号をつくり出すために前記基地局により周波数変移を利用して前記複数の並列な経路に対して前処理するステップと、前記基地局により、前記複数の指向性アンテナの各々で狭角度のビームを形成するために前記複数の直交信号をビーム形成するステップと、前記基地局により、異なる複数の狭角度のビームで送られる複数の信号が所定の移動局に対して異なる時点で到着するように、複数の前記狭角度のビームが含む前記複数の直交信号を送信するステップと、前記所定の移動局により、前記複数の直交信号が受信されるステップと、符号間干渉に対して受信した前記複数の直交信号を訂正するために等化器を使用することと同じようにして前記所定の移動局で等化器を使用して、到着した前記情報を解読するため、前記所定の移動局の等化器によって、前記受信した複数の直交信号を処理するステップと、を含むことを特徴とする、情報放送方法である。
【００１７】
また、上記の問題を解決するために、本発明の他の観点によれば、複数の移動局に対して情報を配信するセルラー通信システムが提供される。当該セルラー通信システムは、少なくとも１の基地局と、少なくとも１の移動局と、を含み、前記基地局は、複数の指向性アンテナを有するアレイアンテナと、前記指向性アンテナと等しい数の複数の並列な経路に対して放送するために前記情報を分割する手段と、複数の直交信号を発生させるために、周波数変移を利用して前記複数の並列な経路に対して前処理する手段と、前記複数の指向性アンテナの各々から狭角度のビームを形成するために、前記複数の直交信号をビーム形成するビーム形成手段と、異なる複数の狭角度のビームで送られる複数の信号が所定の移動局に対して異なる時点で到着するようにして、前記複数の狭角度のビームにより前記複数の直交信号が送られるように、前記アレイアンテナを利用して前記直交信号を送信する送信手段と、を含み、前記所定の移動局は、前記複数の直交信号を受信する受信手段と、符号間干渉に対して受信した前記複数の直交信号を訂正するために等化器を使用することと同じようにして前記所定の移動局で等化器を使用して、到着した前記情報を解読するため、前記所定の移動局の等化器によって、前記受信した複数の直交信号を処理する処理手段と、を含むことを特徴とする、セルラー通信システムである。
【００１８】
また、上記の問題を解決するために、本発明の他の観点によれば、複数の移動局に信号を送信し、かつ前記複数の移動局から信号を受信するセルラー通信システムで使用するための基地局が提供される。当該基地局は、情報を処理する複数のトランシーバーと、複数の信号を受信する受信アンテナ装置と、疑似全方位アンテナパターンで信号を送信する複数の能動セクタアンテナにより構成され、各セクタアンテナがセクタの中心部で、そのセクタの端部よりも大きなアンテナ利得を供給する送信アンテナ装置と、前記複数のトランシーバーと前記受信および送信アンテナ装置とを結合する結合手段と、前記受信アンテナ装置から受信した複数の信号をダイバーシティ結合する手段と、アンテナパターンにナルが発生することを防止するため、前記移動局に送信する複数の信号を直交化する周波数変移手段と、を含み、前記複数のトランシーバーは、異なるセクタアンテナパターンで送られる複数の信号が所定の移動局で異なる時間に到達するように、前記セクタアンテナパターンで前記複数の信号を送信することを特徴とする、基地局である。
【００１９】
また、上記の基地局において、前記周波数変移手段は、わずかに異なる搬送周波数で並列信号を変調することにより、前記移動局に送信される前記信号を直交化する構成であってもよい。
【００２０】
また、上記の基地局において、前記受信アンテナ装置は、支柱の周囲に取り付けられた４つの２重偏波セクタアンテナから構成されていてもよい。
【００２１】
また、上記の基地局において、前記２重偏波アンテナ装置は、支柱の周囲で等しい間隔がとられている構成であってもよい。
【００２２】
また、上記の基地局において、前記送信アンテナ装置は、４つの能動セクタアンテナを含むように構成されていてもよい。
【発明の効果】
【００２３】
以上説明したように本発明によれば、アレイアンテナを備えた基地局を使用して、セル全域に共通情報信号を与える方法と装置を提供される。
【発明を実施するための最良の形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
本発明の１つの実施形態の目的は、アレイアンテナを備えた基地局を使用して、セル全域に共通情報信号を与える方法と装置を提供することである。本発明の１つの実施形態によれば、アレイアンテナを備えた少なくとも１つの基地局と、複数の移動局を含むセルラー通信システムにおいて、情報を放送する方法が開示されている。本発明の１つの実施形態においては、直交信号を発生するため共通情報が前処理される。また、アレイアンテナの異なる素子に送られるように、直交信号はビームに形成される。さらに、直交信号が送信されると、少なくとも１つの移動局で受信される。つぎに、直交信号から共通情報を解読するため、その移動局でこの信号が処理される。
【００２６】
本発明の別の実施形態によれば、情報を放送するセルラー通信システムが開示されており、このセルラー通信システムには、アレイアンテナを備えた少なくとも１つの基地局と、複数の移動局とが含まれている。各基地局には、共通情報を前処理して直交信号をつくり出す処理手段が含まれている。ビーム形成手段は、アレイアンテナの素子に直交信号を送ることができるように、直交信号をビームに形成する。つぎに直交信号は送信手段によって送信される。少なくとも１台の移動局において、受信手段は直交信号を受信し、処理手段はこの信号を処理して、直交信号から情報を解読する。
【００２７】
本発明は、移動局およびセルラー通信システムに使用されることを第１の目的としているが、本発明が他のいろいろな通信の用途に使用できることは、当業者には理解されるであろう。
【００２８】
本発明の１つの実施形態によれば、セル全体に放送する共通情報は、狭角度のローブごとに１つある並列データストリームに分割される。例えば、本発明の１つの実施形態が図６に示されている。放送データｄ（ｋ）は、複数の並列経路に分割され、この並列な経路
の数は使用される指向性アンテナの数に等しい。本実施形態は、放送データを３つの並列データに分割しているが、これに限定されるものではないことに注意されたい。
【００２９】
各経路は、たとえば、ディジタルフィルタＨ１（Ｚ）、Ｈ２（Ｚ）、Ｈ３（Ｚ）を使用して前処理される。これらのフィルタは、十分に直交する信号を発生するために使用される。ディジタルフィルタ４０からの信号は、３つの指向性アンテナビームをつくり出すビーム形成手段４２に供給される。信号は、狭角度アンテナローブを使用して送信され、情報は空中で結合される。本発明においては、信号が合計されてゼロになることのないようにフィルタが選ばれているので、合成されたアンテナパターン４６にはナルが含まれないことが保証される。別の言い方をすると、異なる狭角度ローブからの信号は、異なる時点で到着する。その結果、移動局は、この状態と、多重経路（ｍｕｌｔｉｐａｔｈ）による符号間干渉が移動局で受信される状態を識別することができない。したがって、符号間干渉に対し、受信した信号を訂正するために等化器を使用できることと同じように、移動局で等化器を使用し、到着した情報を分析することができる。
【００３０】
本発明の別の実施形態によれば、図７に示すとおり、アナログフィルタリングを使用することもできる。この実施形態において、放送データは、変調されて無線周波数にアップ・コンバートされると、３つの並列経路に分割される。つぎに、放送データは、たとえば、遅延を使用することにより、無線周波数で前処理される。
【００３１】
図７に示すとおり、たとえば、Ｔ１が１つの符号時間であるとして、遅延１はゼロ秒に等しく、遅延２はＴ２秒に等しく、遅延３はゼロ秒に等しくする遅延手段５２によって、信号を遅延させることができる。この遅延した信号をバトラー行列５４に入れることができると、行列５４は公知の方法で３つの個別アンテナローブを形成することができる。遅延させた信号は相互に打ち消さないので、得られたアンテナパターンの組み合わせ５６には、深い切れ込みのナルはまったく無い。
【００３２】
本発明の別の実施形態によれば、わずかに異なる搬送周波数を使用して各経路を変調すると、直交化を実現することができる。周波数の違いは、フェーディングを発生させるために十分大きくする必要があるが、非常に緩慢なフェーディングなので、復調器に対して問題を惹起することはない。
【００３３】
本発明の別の実施形態によれば、疑似全方位サイトが説明されている。疑似全方位サイトによる利点は、サイト当たりのサービスエリアが大きいことであって、この利点は、田園地域における実現費用が減少することである。本発明のこの実施例においては、疑似全方位サイトを建設するために複数受信器の無線基地局が使用されているが、本発明はこれに限定されるものではない。図８は、本発明の１つの実施形態による疑似全方位サイトのハードウエア構成を示している。図８に示すとおり、少なくとも１つのトランシーバー８０は、カプラ８２を介して受信アンテナ装置８４と送信アンテナ装置８６とに接続されている。本発明の１つの実施形態によれば、受信アンテナ装置は、支柱の周囲に等間隔の位置に取り付けられた４つの２重偏波セクタアンテナ（ｄｏｕｂｌｅ  ｐｏｌａｒｉｚｅｄ  ｓｅｃｔｏｒ  ａｎｔｅｎｎａ）から構成されている。この送信アンテナ装置は、４つの能動（ａｃｔｉｖｅ）セクタアンテナを含んでおり、各セクタアンテナは、同じ低電力入力が供給されている。
【００３４】
つぎに、本システムのアップリンクの搬送／雑音性能を説明する。複数受信器等化器は、ダイバーシティ結合（ｄｉｖｅｒｓｉｔｙ  ｃｏｍｂｉｎｉｎｇ）を使用して、４つのセクタアンテナから正しく受信した信号を選別して合成することができる。１つ以上のセクタアンテナ、つまり、２つ以上のダイバーシティ分岐（ｄｉｖｅｒｓｉｔｙ  ｂｒａｎｃｈｅｓ）で受信された移動局に対するスペースダイバーシティ装置に、ダイバーシティ利得を追加することが可能である。このダイバーシティ利得は、セクタアンテナ間の間隔とセル範囲との商によって決まるのが普通である。
【００３５】
本発明の１つの実施形態によれば、セクタアンテナは比較的細い支柱に取り付けられているので、間隔が小さく普通１メートルから２メートルであり、セルは比較的大きくて普通１０キロメートルから２０キロメートルである。疑似全方位サイトにおけるアンテナ利得は、等方向性（ｉｓｏｔｒｏｐｅ）アンテナに比較して１９デシベルから２０デシベルになり、等方向性アンテナに比較して、１１デシベルから１２デシベルの利得をもつ従来の全方位アンテナ以上に増加している。疑似全方位サイトで使用可能なサービスエリアの形状の一例が図９に示されており、経路損失がτ２．５でｃｏｓ４（α）セクタアンテナが想定されている。本実施形態において、セクタアンテナは、±４５度、±１３５度の方向に向けられているが、本発明はこれに限定されるものではない。想定したアンテナは、ブロードサイド（ｂｒｏａｄ−ｓｉｄｅ）から４５度のアンテナ利得で６デシベルの損失を与えている。しかし、この利得は、これらの点における等化器の雑音ダイバーシティ利得３デシベルだけ部分的に補償されるので、Ｃ／Ｎ性能は総計で３デシベルの損失になっている。
【００３６】
最後に、性能における３デシベルの損失は、図９の線９０で示されている経路損失の仮定を使用してサービスエリアの減少に写像されている。セクター間にダイバーシティが追加されることを想定すると、サービスエリアの形状はもっと円形になるであろう。つぎにダウンリンクの搬送／雑音性能を説明する。本発明の１つの実施形態によれば、図９に示す範囲をカバーする目的で疑似全方位パターンにダウンリンクを分配するため、４つの送信アンテナが使用されている。図１０は、ｃｏｓ４（α）セクタアンテナ、１９００ＭＨｚおよび１メートルのアンテナ間隔を使用して計算されたナルの例を示しているが、セクタアンテナを給電する直接的方法は、図１０の点線により示されるとおり、アンテナ図に深い切れ込みのナルを発生させる。２つのセクタアンテナは、それらの指向方向の間の中央で干渉するであろう。
【００３７】
さらに、ナル（ｎｕｌｌ）が生じる問題は、図１１に示すとおり、アンテナ間に時間とともに変化する相対位相誤差（ａ  ｒｅｌａｔｉｖｅ  ｔｉｍｅ  ｖａｒｙｉｎｇ  ｐｈａｓｅ  ｅｒｒｏｒ）を導入することだけでは解決できないし、あるいはアンテナに正しく（ｃｏｈｅｒｅｎｔｌｙ）給電しないことによっても解決できない。支柱の周囲の４つのセクタアンテナによって発生する疑似全方位サイトからの２０のアンテナパターンが図１１に示されているが、これらのアンテナパターンは、ナルの位置が移動しているものの、依然としてナルが現れていることを示している。
【００３８】
前述した周波数あるいは時間の直交化手段のどれかを使用して、アンテナパターンの全体からナルを除くことができる。本発明の１つの実施形態によれば、直交信号を発生させるため異なる偏波の送信アンテナを使用することにより、合成された信号におけるナルの問題を克服することができる。４５度および−１３５度の方向を指すアンテナからの電界（Ｅ−ｆｉｅｌｄ）が、−４５度および１３５度の方向を指すアンテナからの電界と直交するように直交偏波を使用することにより、ナルは全電界のアンテナパターンから除かれる。つまり、｜Ｅｖ＋Ｅｈ｜２＞０になる。
【００３９】
但し、本発明の性能は環境に依存する。たとえば、垂直偏波および水平偏波はほぼ同じ特性をもつという意味で、交差偏波識別度（ｃｒｏｓｓ  ｐｏｌａｒｉｚａｔｉｏｎ  ｄｉｓｃｒｉｍｉｎａｔｉｏｎ）が１に近くかつ対称であると仮定しよう。そうすると、ブロードサイドの性能は変化しない、つまり、図１０の実線に近づく。セクタアンテナ間の中間の移動体には、直交偏波により独立したフェーディングをともなう２つのアンテナが見えるので、これらのアンテナからの信号は、合計されて新しいレーリー（Ｒａｙｌｅｉｇｈ）フェーディングチャネルになるであろう。したがって、セクタアンテナ間の中間における性能も、図１０に示す実線に近づくであろう。
【００４０】
当業者であれば、本発明の主旨と特徴から逸脱せずに、本発明を他の特定の形式で実施できることを理解できるであろう。したがって、ここに開示した実施形態は、すべての観点から例示的であって限定的ではないと考えられる。本発明の範囲は前述の説明ではなく、添付の請求の範囲によって示されており、本発明の趣旨と、本発明と等価な範囲の中でできる変更のすべては、請求の範囲に含まれるものとする。
【図面の簡単な説明】
【００４１】
【図１】セルラー通信システムの基本的レイアウトの一例を示す。
【図２】指向性ビームをつくり出すディジタルビーム形成の一例を示す。
【図３】無線周波数の指向性ビームをつくり出すビーム形成の一例を示す。
【図４】アンテナパターンにおけるナルの一例を示す。
【図５】ビーム形成装置の一例を示す。
【図６】本発明の１つの実施形態に従って、ディジタルビーム形成による前処理をするビーム形成装置の一例を示す。
【図７】本発明の１つの実施形態に従って、無線周波数のビームを形成するビーム形成装置の一例を示す。
【図８】本発明の１つの実施形態による装置の一例を示す。
【図９】本発明の１つの実施形態に従って、疑似全方位サイト（ｐｓｅｕｄｏ−ｏｍｎｉｓｉｔｅ）に使用可能なサービスエリアの形状の一例を示す。
【図１０】本発明の１つの実施形態に従って、疑似全方位サイトからのアンテナパターンの一例を示す。
【図１１】本発明の１つの実施形態に従って、疑似全方位サイトからの２０のアンテナパターンの一例を示す。
【図１】
0004457120.tif 000002
【図２】
0004457120.tif 000003
【図３】
0004457120.tif 000004
【図４】
0004457120.tif 000005
【図５】
0004457120.tif 000006
【図６】
0004457120.tif 000007
【図７】
0004457120.tif 000008
【図８】
0004457120.tif 000009
【図９】
0004457120.tif 000010
【図１０】
0004457120.tif 000011
【図１１】
0004457120.tif 000012